(57)【要約】      （修正有）【課題】製造容易性を高め歩留まりを向上できる撮像装置を提供する。【解決手段】撮像レンズ１０とイメージセンサ５１との間に配置されるＩＲカットフィルタＦを、１００℃で５０ｃＳｔ以上の粘度を有する流動体４０を用いて筐体２０に取り付けたので、ＩＲカットフィルタＦを筐体２０に組みつけた後に容易に分離できるため、組み付け後に、筐体２０もしくはＩＲカットフィルタＦに何らかの不具合が生じていたことが判明した場合でも、両者を分離して正常な部品のみを再使用することができる。又、ＩＲカットフィルタＦを筐体２０に組みつけた後に、イメージセンサ５１にゴミ等が付着していることが判明した場合にも、筐体２０からＩＲカットフィルタＦを分離してイメージセンサ５１の清掃を行うことができる。更に、高温化でも安定しており、その表面張力でＩＲカットフィルタＦが筐体２０から分離することが抑制される。【選択図】図２
2009025698.tif 000002
【特許請求の範囲】
【請求項１】
撮像レンズと撮像素子との間に配置される光学素子を、１００℃で５０ｃＳｔ以上の粘度を有する流動体を用いて筐体に取り付けたことを特徴とする撮像装置。
【請求項２】
前記流動体はフッ素系の潤滑剤であることを特徴とする請求項１に記載の撮像装置。
【請求項３】
前記筐体は、前記撮像レンズと前記筐体とが摺動する部位に近接して、前記流動体の受け部を有することを特徴とする請求項１又は２に記載の撮像装置。
【請求項４】
前記光学部材はＩＲカットフィルタであることを特徴とする請求項１〜３のいずれかに記載の撮像装置。
【発明の詳細な説明】
【技術分野】
【０００１】
本発明は、撮像装置に関し、例えばＣＣＤ型イメージセンサあるいはＣＭＯＳ型イメージセンサ等の固体撮像素子を用いると好適な撮像装置に関する。
【背景技術】
【０００２】
撮像装置を組み込むことにより撮影機能を付与した携帯電話機が普及している。また、携帯電話機等の小型電子機器への撮影機能の組み込みを容易にするため、予め撮像レンズが組み込まれた光学ユニットと、固体撮像素子及び制御回路が設けられた実装基板とを組み立ててユニット化したカメラモジュールが提供されている（例えば、特許文献１参照）。
【特許文献１】特開２００７−１２１８５３号公報
【発明の開示】
【発明が解決しようとする課題】
【０００３】
ところで、特許文献１に記載の撮像装置においては、赤外線をカットする機能を有するＩＲカットフィルタを、筐体に接着剤を用いて接着している。ここで、一旦ＩＲカットフィルタを筐体に接着すると、分離不能となることから、筐体に何らかの不具合が生じた場合、ＩＲカットフィルタと共に廃却しなくてはならず、歩留まりが悪い。又、ＩＲカットフィルタを筐体に接着した後に、撮像素子の受光面にゴミ等の異物が付着していることが発見された場合、比較的高価である撮像素子は廃却できないので、これを清掃して再使用する必要があるが、かかる場合、接着されたＩＲカットフィルタ又は筐体を破壊して清掃を行わなくてはならず、手間及びコストがかかる。更に、ＩＲカットフィルタを固定する接着剤自体が、硬化後においてゴミを生じさせる要因となる恐れもある。
【０００４】
本発明は、かかる従来技術の問題点に鑑みてなされたものであり、製造容易性を高め歩留まりを向上できる撮像装置を提供することを目的とする。
【課題を解決するための手段】
【０００５】
本発明の撮像装置は、撮像レンズと撮像素子との間に配置される光学素子を、１００℃で５０ｃＳｔ以上の粘度を有する流動体を用いて筐体に取り付けたことを特徴とする。
【０００６】
本発明によれば、撮像レンズと撮像素子との間に配置される光学素子を、１００℃で５０ｃＳｔ以上の粘度を有する流動体を用いて筐体に取り付けたので、光学部材を筐体に組みつけた後に容易に分離できるため、組み付け後に、筐体もしくは光学部材に何らかの不具合が生じていたことが判明した場合でも、両者を分離して正常な部品のみを再使用することができる。又、光学部材を筐体に組みつけた後に、撮像素子にゴミ等が付着していることが判明した場合にも、筐体から光学部材を分離して撮像素子の清掃を行うことができる。更に、１００℃で５０ｃＳｔ以上の粘度を有する流動体であれば、高温化でも安定しており、その表面張力で光学部材が筐体から分離することが抑制される。又、接着剤のように、ゴミ等が発生する要因とならないという利点もある。
【０００７】
本発明の具体的な態様によれば、前記流動体はフッ素系の潤滑剤であると、化学的に安定しており酸化劣化しにくく、更に蒸気圧が低いので真空環境化やクリーンルームで用いるのに好適である。但し、これに限らず例えばシリコン系の潤滑油を用いても良い。フッ素系の潤滑剤の一例としては、NOKクリューバ株式会社より上市されている、商品面「バリエルタ」等がある。
【０００８】
本発明の具体的な態様によれば、前記筐体は、前記撮像レンズと前記筐体とが摺動する部位に近接して、前記流動体の受け部を有する。これにより、前記撮像レンズと前記筐体との摺動によりゴミ等が発生しても、前記受け部に貯留された流動体で捕捉することができる。
【０００９】
本発明の具体的な態様によれば、前記光学部材はＩＲカットフィルタであると好ましいが、これに限られない。
【発明の効果】
【００１０】
本発明によれば、製造容易性を高め歩留まりを向上できる撮像装置を提供することができる。
【発明を実施するための最良の形態】
【００１１】
以下、本発明の実施の形態を図面に基づいて説明する。図１は、本実施の形態にかかる撮像装置５０の斜視図であり、図２は、図１の構成を矢印II-II線で切断して矢印方向に見た断面図である。図２に示すように、撮像装置５０は、光電変換部５１ａを有する固体撮像素子としてのＣＭＯＳ型イメージセンサ５１と、このイメージセンサ５１の光電変換部５１ａに被写体像を撮像させる撮像レンズとしての撮像レンズ１０と、イメージセンサ５１と撮像レンズ１０との間に配置された光学部材であるＩＲカットフィルタＦと、イメージセンサ５１を保持すると共にその電気信号の送受を行う外部接続用端子（不図示）を有する基板５２とを備え、これらが一体的に形成されている。
【００１２】
上記イメージセンサ５１は、その受光側の平面の中央部に、画素（光電変換素子）が２次元的に配置された、受光部としての光電変換部５１ａが形成されており、その周囲には信号処理回路５１ｂが形成されている。かかる信号処理回路５１ｂは、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、イメージセンサ５１の受光側の平面の外縁近傍には、多数のパッド（図示略）が配置されており、不図示のワイヤを介して基板５２に接続されている。イメージセンサ５１は、光電変換部５１ａからの信号電荷をデジタルＹＵＶ信号等の画像信号等に変換し、ワイヤ（不図示）を介して基板５２上の所定の回路に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、撮像素子は上記ＣＭＯＳ型のイメージセンサに限定されるものではなく、ＣＣＤ等の他のものを使用しても良い。
【００１３】
筐体２０の下端が載置される基板５２は、表面に設けられた多数の信号伝達用パッドを有しており、これが前述したイメージセンサ５１からのワイヤと接続されている。
【００１４】
基板５２は、不図示の外部接続用端子を介して外部回路（例えば、撮像装置を実装した上位装置が有する制御回路）と接続し、外部回路からイメージセンサ５１を駆動するための電圧やクロック信号の供給を受けたり、また、デジタルＹＵＶ信号を外部回路へ出力したりすることを可能とする。
【００１５】
遮光性部材からなる筐体２０は、角筒状であって、イメージセンサ５１を囲うようにして配置され基板５２に対して接着剤Ｂを用いて下端が接着されてなる。かかる接着剤Ｂは、イメージセンサ５１を基板５２に固定する接着剤Ｂとは異なるが、同じものを用いても良い。
【００１６】
図１において、イメージセンサ５１の上方で、筐体２０の下端近傍における内周から光軸直交方向に延在するフランジ部２０ａの中央の環状部２０ｃが盛り上がっており、環状部２０ｃの周囲から筐体２０の内周までのフランジ部２０ａ上の窪んだ環状部分が、流動体４０が貯留された受け部Ｒとなっている。ＩＲカットフィルタＦは、例えば略矩形状や円形状に形成された部材であって、環状部２０ｃ上に載置されており、その下面が流動体４０の表面に触れている。流動体４０はフッ素系の潤滑油であって、ＩＲカットフィルタに触れることで、これに密着し、振動等に対して剥がれやズレを抑制する機能を有する。このように、流動体４０の受け部Ｒを筐体２０の内周まで延在させて設けることで、レンズＬ３と筐体２０との摺動により生じたゴミを流動体４０で捕捉することができ、その飛散を抑制できる。
【００１７】
筐体２０の中央に設けられた撮像レンズ１０は、物体側から第１レンズＬ１，第２レンズＬ２，第３レンズＬ３の順序でフランジ部同士を接合して接着剤にて固定されている。最もイメージセンサ５１に近い第３レンズＬ３のフランジ部の下面は、筐体２０の段部２０ｂに当接し、その上面は、筐体２０の上端に固定される蓋部材２１に対して、ばね部材２２により段部２０ｂに向かって付勢されている。
【００１８】
さらに、第１レンズＬ１のフランジ部の上部には、遮光部材２３が固着されており、それにより筐体２０の内部に不要光が入射することを防止し、ゴーストやフレアの発生を抑えることができる。
【００１９】
本実施の形態によれば、撮像レンズ１０とイメージセンサ５１との間に配置されるＩＲカットフィルタＦを、１００℃で５０ｃＳｔ以上の粘度を有する流動体４０を用いて筐体２０に取り付けたので、ＩＲカットフィルタＦを筐体２０に組みつけた後に容易に分離できるため、組み付け後に、筐体２０もしくはＩＲカットフィルタＦに何らかの不具合が生じていたことが判明した場合でも、両者を分離して正常な部品のみを再使用することができる。又、ＩＲカットフィルタＦを筐体２０に組みつけた後に、イメージセンサ５１にゴミ等が付着していることが判明した場合にも、筐体２０からＩＲカットフィルタＦを分離してイメージセンサ５１の清掃を行うことができる。更に、１００℃で５０ｃＳｔ以上の粘度を有する流動体４０であれば、高温化でも安定しており、その表面張力でＩＲカットフィルタＦが筐体２０から分離することが抑制される。又、接着剤のように、ゴミ等が発生する要因とならないという利点もある。
【００２０】
上述した撮像装置５０の使用態様について説明する。図３は、撮像装置５０を携帯端末としての携帯電話機１００に装備した状態を示す図である。また、図４は携帯電話機１００の制御ブロック図である。
【００２１】
撮像装置５０は、例えば、撮像レンズにおける筐体２０の物体側端面が携帯電話機１００の背面（液晶表示部側を正面とする）に設けられ、液晶表示部の下方に相当する位置になるよう配設される。
【００２２】
撮像装置５０の外部接続用端子５４は、携帯電話機１００の制御部１０１と接続され、輝度信号や色差信号等の画像信号を制御部１０１側に出力する。
【００２３】
一方、携帯電話機１００は、図４に示すように、各部を統括的に制御すると共に、各処理に応じたプログラムを実行する制御部（ＣＰＵ）１０１と、番号等をキーにより支持入力するための入力部６０と、所定のデータの他に撮像した画像や映像等を表示する表示部７０と、外部サーバとの間の各種清報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像装置５０により撮像データ等を一時的に格納する作業領域として用いられる及び一時記憶部（ＲＡＭ）９２とを備えている。
【００２４】
携帯電話機１００を把持する撮影者が、被写体に対して撮像装置５０の撮像レンズ１０の光軸を向けると、イメージセンサ５１に画像信号が取り込まれる。所望のシャッタチャンスで、図３に示すボタンＢＴを撮影者が押すことでレリーズが行われ、画像信号が撮像装置５０に取り込まれることとなる。撮像装置５０から入力された画像信号は、上記携帯電話機１００の制御系に送信され、記憶部９２に記憶されたり、或いは表示部７０で表示され、さらには、無線通信部８０を介して映像情報として外部に送信されることとなる。
【００２５】
以上、本発明を実施の形態を参照して説明してきたが、本発明は上記実施の形態に限定して解釈されるべきではなく、適宜変更・改良が可能であることはもちろんである。
【図面の簡単な説明】
【００２６】
【図１】本実施の形態にかかる撮像装置５０の斜視図である。
【図２】図１の構成を矢印II-II線で切断して矢印方向に見た断面図である。
【図３】撮像装置５０を携帯端末としての携帯電話機１００に装備した状態を示す図である。
【図４】携帯電話機１００の制御ブロック図である。
【符号の説明】
【００２７】
１０ 撮像レンズ
２０ 筐体
２０ａ フランジ部
２０ｂ 段部
２１ 蓋部材
２２ ばね部材
２３ 遮光部材
４０ 流動体
５０ 撮像装置
５１ イメージセンサ
５１ａ 光電変換部
５１ｂ 信号処理回路
５２ 基板
５２ａ 支持平板
６０ 入力部
７０ 表示部
８０ 無線通信部
９２ 記憶部
１００ 携帯電話機
１０１ 制御部
Ｂ 接着剤
ＢＴ ボタン
Ｆ ＩＲカットフィルタ
Ｌ１〜Ｌ３ レンズ
【図１】
2009025698.tif 000003
【図２】
2009025698.tif 000004
【図３】
2009025698.tif 000005
【図４】
2009025698.tif 000006